(57)【要約】【課題】遊技媒体を収容する収容ケースを誰でも容易に見栄え良く扇状に配置できるようにする。【解決手段】収容ケース１０は、上面に開口１２ａを有する開口箱状のケース本体１２と、開口１２ａの周縁から外側に突出するように形成されたフランジ部１４とからなる。フランジ部１４には、第１係合突起２０と、この第１係合突起２０の形状に応じた第１係合溝２４とが形成されている。複数の収容ケース１０を並べて配置する際に、第１係合突起２０を隣接する収容ケース１０の第１係合溝２４に係合させると、各ケース本体１２の成す角が９０度に調節される。このように、第１係合突起２０と第１係合溝２４とを係合させ、各ケース本体１２の成す角を調節することで、複数の収容ケース１０を誰でも容易に見栄え良く扇状に配置することができる。【選択図】図１
2008301860.tif 000002
【特許請求の範囲】
【請求項１】
遊技媒体を収容する遊技媒体収容ケースにおいて、
一方向に長い多角形状又は楕円形状に上面が形成されるとともに、前記上面に開口を有する開口箱状のケース本体と、
前記開口の周縁から外側に突出するように形成されたフランジ部と、
前記フランジ部に形成された係合突起と、
前記ケース本体の長手方向の中心線を挟んで前記係合突起と略対称に前記フランジ部に形成され、複数の前記ケース本体を並べて配置した際に、隣接する前記ケース本体の前記フランジ部に形成された前記係合突起と係合して前記各ケース本体同士の成す角を所定の角度に調節する係合溝とを備えたことを特徴とする遊技媒体収容ケース。
【請求項２】
前記フランジ部には、それぞれ係合した際に調節する前記角度の異なる複数の前記係合突起と前記係合溝とが設けられていることを特徴とする請求項１記載の遊技媒体収容ケース。
【請求項３】
前記各係合突起は、それぞれ異なる形状に形成されており、
前記各係合溝は、対応する前記各係合突起の形状に合わせて形成されていることを特徴とする請求項２記載の遊技媒体収容ケース。
【請求項４】
前記フランジ部の前記係合突起と前記係合溝との少なくとも一方の近傍に、調節する前記角度を示すマークを設けたことを特徴とする請求項１から３のいずれか１項に記載の遊技媒体収容ケース。
【請求項５】
遊技媒体を収容する遊技媒体収容ケースにおいて、
一方向に長い多角形状又は楕円形状に上面が形成されるとともに、前記上面に開口を有する開口箱状のケース本体と、
前記ケース本体の長手方向の中心線を挟んで両側に形成され、複数の前記ケース本体を並べて配置した際に、互いに接触して前記各ケース本体同士の成す角を所定の角度に調節する一対の傾斜面とを備えたことを特徴とする遊技媒体収容ケース。
【請求項６】
前記ケース本体には、前記開口の周縁から外側に突出するように形成されたフランジ部が設けられており、
前記各傾斜面は、前記フランジ部に形成されていることを特徴とする請求項５記載の遊技媒体収容ケース。
【請求項７】
前記ケース本体の前記各傾斜面の少なくとも一方の近傍に、調節する前記角度を示すマークを設けたことを特徴とする請求項５又は６記載の遊技媒体収容ケース。
【請求項８】
前記ケース本体には、それぞれ接触した際に調節する前記角度の異なる複数の組み合わせの前記各傾斜面が設けられていることを特徴とする請求項５から７のいずれか１項に記載の遊技媒体収容ケース。
【発明の詳細な説明】
【技術分野】
【０００１】
本発明は、遊技媒体を収容する遊技媒体収容ケースに関する。
【背景技術】
【０００２】
パチンコ店などの遊技場に設置される遊技機として、パチンコ機やパチスロ機などが知られている。パチンコ機では、いわゆるパチンコ球が遊技媒体として用いられる。一方、パチスロ機では、メダルやコインなどが遊技媒体として用いられる。これらの遊技媒体は、一定の価値が与えられた上で遊技に使用されるため、より多くの遊技媒体を獲得することが、遊技を行う遊技者の興趣となっている。
【０００３】
入賞などに応じて遊技機から払い出された遊技媒体は、遊技機に設けられた受け皿に貯留される。そして、受け皿に貯留された遊技媒体は、受け皿が一杯になった場合、遊技を終了して景品交換用のカウンターに向かう場合、あるいは遊技を中断して他の遊技機に向かう場合などに、いわゆる「ドル箱」と呼ばれる収容ケース（例えば、特許文献１参照）に移し替えられる。また、大当りなどの当選によって多量の遊技媒体が払い出された場合には、遊技者の足元などに遊技媒体を収容した収容ケースを複数段積み重ねることが、遊技場において一般的に行われている。
【特許文献１】特開２００６−０５１３９０号公報
【発明の開示】
【発明が解決しようとする課題】
【０００４】
遊技場では、収容ケースを複数段積み重ねたケース群が、さらに複数できるほどの遊技媒体を獲得した遊技者が現れた場合に、その遊技者のいる島設備の端（各島設備の間の通路）などに各ケース群を扇状にして置くことにより、他の遊技者などに出球感をアピールすることが行われている。
【０００５】
しかしながら、各収容ケースを見栄え良く扇状に配置するには、ある程度の熟練を要する。このため、不慣れな店員にとって、各収容ケースを扇状に配置することは、非常に煩わしい作業であった。
【０００６】
本発明は、上記課題を鑑みてなされたものであって、誰でも容易に見栄え良く扇状に配置することができる遊技媒体収容ケースを提供することを目的とする。
【課題を解決するための手段】
【０００７】
上記課題を達成するため、本発明の遊技媒体収容ケースは、一方向に長い多角形状又は楕円形状に上面が形成されるとともに、前記上面に開口を有する開口箱状のケース本体と、前記開口の周縁から外側に突出するように形成されたフランジ部と、前記フランジ部に形成された係合突起と、前記ケース本体の長手方向の中心線を挟んで前記係合突起と略対称に前記フランジ部に形成され、複数の前記ケース本体を並べて配置した際に、隣接する前記ケース本体の前記フランジ部に形成された前記係合突起と係合して前記各ケース本体同士の成す角を所定の角度に調節する係合溝とを備えたことを特徴とする。
【０００８】
なお、前記フランジ部には、それぞれ係合した際に調節する前記角度の異なる複数の前記係合突起と前記係合溝とが設けられていることが好ましい。
【０００９】
また、前記各係合突起は、それぞれ異なる形状に形成されており、前記各係合溝は、対応する前記各係合突起の形状に合わせて形成されていることが好ましい。
【００１０】
さらに、前記フランジ部の前記係合突起と前記係合溝との少なくとも一方の近傍に、調節する前記角度を示すマークを設けることが好ましい。
【００１１】
なお、本発明の遊技媒体収容ケースは、一方向に長い多角形状又は楕円形状に上面が形成されるとともに、前記上面に開口を有する開口箱状のケース本体と、前記ケース本体の長手方向の中心線を挟んで両側に形成され、複数の前記ケース本体を並べて配置した際に、互いに接触して前記各ケース本体同士の成す角を所定の角度に調節する一対の傾斜面とを備えるものであってもよい。
【００１２】
この際、前記ケース本体に、前記開口の周縁から外側に突出するように形成されたフランジ部を設け、前記各傾斜面は、前記フランジ部に形成することが好ましい。
【００１３】
また、前記ケース本体の前記各傾斜面の少なくとも一方の近傍に、調節する前記角度を示すマークを設けることが好ましい。
【００１４】
さらに、前記ケース本体には、それぞれ接触した際に調節する前記角度の異なる複数の組み合わせの前記各傾斜面が設けられていることが好ましい。
【発明の効果】
【００１５】
本発明の遊技媒体収容ケースによれば、開口箱状に形成されたケース本体のフランジ部に係合突起と係合溝とを設け、複数のケース本体を並べて配置する際に、係合突起と係合溝とを係合させることによって各ケース本体同士の成す角が所定の角度に調節されるようにしたので、複数の遊技媒体収容ケースを誰でも容易に見栄え良く扇状に配置することができる。
【００１６】
なお、係合した際の各ケース本体同士の成す角の異なる複数の係合突起と係合溝とをフランジ部に設けることによって、複数の遊技媒体収容ケースを扇状にして配置する際の置き場所やアピールの仕方などに応じて角度を適宜選択可能にし、遊技媒体収容ケースの多様性を高めることができる。
【００１７】
また、各係合突起を異なる形状に形成し、各係合溝を対応する各係合突起の形状に合わせて形成することで、異なる組み合わせで各係合突起と各係合溝とが係合することを防止し、複数の遊技媒体収容ケースを扇状に配置する作業をより迅速に行わせることができる。
【００１８】
さらに、フランジ部の係合突起と係合溝との少なくとも一方の近傍に調節する角度を示すマークを設けることにより、各ケース本体同士の成す角を、作業する店員などに即座に認識させることができる。
【００１９】
なお、一方向に長い多角形状又は楕円形状に上面が形成されるとともに、上面に開口を有する開口箱状のケース本体と、ケース本体の長手方向の中心線を挟んで両側に形成され、複数のケース本体を並べて配置した際に、互いに接触して各ケース本体同士の成す角を所定の角度に調節する一対の傾斜面とを備えるようにしても、各傾斜面同士を接触させることによって各ケース本体同士の成す角を調節することができるので、複数の遊技媒体収容ケースを誰でも容易に見栄え良く扇状に配置することができる。
【００２０】
この際、開口の周縁から外側に突出するように形成されたフランジ部をケース本体に設け、このフランジ部に傾斜面を形成することで、遊技媒体収容ケースを持ち易くすることができるとともに、遊技媒体収容ケースの強度を向上させることができる。
【００２１】
また、ケース本体の各傾斜面の少なくとも一方の近傍に、調節する角度を示すマークを設けることにより、各ケース本体同士の成す角を、作業する店員などに即座に認識させることができる。
【００２２】
さらに、それぞれ接触した際に調節する角度の異なる複数の組み合わせの各傾斜面を設けることによって、複数の遊技媒体収容ケースを扇状にして配置する際の置き場所やアピールの仕方などに応じて角度を適宜選択可能にし、遊技媒体収容ケースの多様性を高めることができる。
【発明を実施するための最良の形態】
【００２３】
図１に示すように、収容ケース（遊技媒体収容ケース）１０は、上面に開口１２ａを有する開口箱状のケース本体１２と、開口１２ａの周縁から外側に突出するように形成されたフランジ部１４とからなる。この収容ケース１０は、ケース本体１２の内部空間に遊技媒体を収容し、遊技媒体の一時的な保管や遊技媒体の持ち運びなどに用いられる。なお、遊技媒体とは、例えば、パチンコ機に用いられるパチンコ球、及びパチスロ機に用いられるメダルやコインなどである。
【００２４】
ケース本体１２は、直方体の長手方向の一端を尖らせた形状に形成されており、前記長手方向に対して所定の角度で傾斜した第１傾斜側面１２ｂと第２傾斜側面１２ｃとを有している。各傾斜側面１２ｂ、１２ｃは、外側に膨らむように僅かに湾曲して形成されている。また、遊技媒体を収容しない状態で複数の収容ケース１０を積み重ねた際に、上段の収容ケース１０のケース本体１２が下段の収容ケース１０のケース本体１２内に嵌まり込むように、ケース本体１２は、底面に向かうに従って断面積が狭くなるテーパ状に成形されている。
【００２５】
フランジ部１４は、開口１２ａの全周に亘って形成されている。このフランジ部１４は、遊技者や店員などが収容ケース１０を持つ際の指掛りになる。また、フランジ部１４は、ケース本体１２の開口１２ａ部分における撓みなどといった変形を防止し、収容ケース１０の強度を向上させる。
【００２６】
フランジ部１４の第１傾斜側面１２ｂに対応する部分には、第１係合突起２０、第２係合突起２１、第３係合突起２２の３つの突起が形成されている。各係合突起２０、２１、２２は、第１係合突起２０の横幅が最も広く、第３係合突起２２の横幅が最も狭くなるように、それぞれ異なる形状で形成されている。一方、フランジ部１４の第２傾斜側面１２ｃに対応する部分には、第１係合突起２０の形状に応じた第１係合溝２４、第２係合突起２１の形状に応じた第２係合溝２５、第３係合突起２２の形状に応じた第３係合溝２６の３つの溝が形成されている。各係合溝２４、２５、２６は、ケース本体１２の長手方向の中心線を挟んで各係合突起２０、２１、２２と略対称な位置に形成されている。
【００２７】
この収容ケース１０では、複数の収容ケース１０を並べて配置する際に、第１係合突起２０を隣接する収容ケース１０の第１係合溝２４に係合させると、図２（ａ）に示すように、各ケース本体１２同士の長手方向の成す角θが９０度に調節される。また、第２係合突起２１を隣接する収容ケース１０の第２係合溝２５に係合させると、図２（ｂ）に示すように、角θが７５度に調節される。さらに、第３係合突起２２を隣接する収容ケース１０の第３係合溝２６に係合させると、図２（ｃ）に示すように、角θが６０度に調節される。
【００２８】
また、図１に示すように、フランジ部１４の第１係合突起２０と第１係合溝２４とのそれぞれの近傍には、係合した際に角θが９０度になることを示すマーク３０ａ、３０ｂが設けられている。同様に、フランジ部１４の第２係合突起２１と第２係合溝２５とのそれぞれの近傍には、係合した際に角θが７５度になることを示すマーク３１ａ、３１ｂが設けられている。同様に、フランジ部１４の第３係合突起２２と第３係合溝２６とのそれぞれの近傍には、係合した際に角θが６０度になることを示すマーク３２ａ、３２ｂが設けられている。なお、各マーク３０ａ、３０ｂ、３１ａ、３１ｂ、３２ａ、３２ｂは、フランジ部１４に直接印刷するものでもよいし、印刷されたシールを貼り付けるものでもよい。さらには、フランジ部１４に凸状又は凹状に一体成形されるものなど、調節される角θが視認可能なものであれば、如何なるものでもよい。
【００２９】
遊技場では、多量の遊技媒体を獲得した遊技者が現れた場合に、その遊技者のいる島設備の端などに複数の収容ケース１０を扇状に配置して積み重ねることにより、他の遊技者などに出球感をアピールすることが行われている。この際、本実施形態の収容ケース１０によれば、各係合突起２０、２１、２２を、他の収容ケース１０の対応する各係合溝２４、２５、２６に係合させることによって、図３に示すように、複数の収容ケース１０を誰でも容易に見栄え良く扇状に配置することができる。なお、図３では、第２係合突起２１と第２係合溝２５とを係合させて扇状に積み重ねた状態を示している。
【００３０】
また、本実施形態の収容ケース１０によれば、それぞれ３つの各係合突起２０、２１、２２と各係合溝２４、２５、２６とを設け、それぞれの組み合わせによって９０度、７５度、６０度の３つの角度に調節できるようにしたので、例えば、島設備の端部中央に置く場合には９０度、島設備の角部に置く場合には７５度や６０度などのように、置き場所やアピールの仕方などに応じて角度を適宜選択することができる。
【００３１】
さらに、各係合突起２０、２１、２２と各係合溝２４、２５、２６との近傍に、それぞれマーク３０ａ、３０ｂ、３１ａ、３１ｂ、３２ａ、３２ｂを設けたので、各ケース本体１２同士の長手方向の成す角θを、作業する店員などに即座に認識させることができる。また、各係合突起２０、２１、２２をそれぞれ異なる形状に成形し、各係合突起２０、２１、２２に合わせて各係合溝２４、２５、２６を成形するようにしたので、異なる組み合わせで各係合突起２０、２１、２２と各係合溝２４、２５、２６とが係合することを防止し、作業をより迅速に行わせることができる。なお、係合突起と係合溝の数は、３つに限ることなく、２つ以下でもよいし、４つ以上でもよい。また、調節される角度も、上記に限ることなく、任意の角度でよい。
【００３２】
次に、図４及び図５を用いて本発明の第２の実施形態について説明する。なお、上記実施形態と機能・構成上同一のものについては、同符号を付し、詳細な説明は省略する。図４に示すように、収容ケース４０のフランジ部１４の第１傾斜側面１２ｂに対応する部分には、上記第１の実施形態と同様に、第１係合突起５０、第２係合突起５１、第３係合突起５２の３つの突起が形成されている。
【００３３】
第１係合突起５０は、上方から見た際に、両側がフランジ部１４への垂線に対して傾斜した略台形状に形成されている。第２係合突起５１は、上方から見た際に、右側のみがフランジ部１４への垂線に対して傾斜した略台形状に形成されている。第３係合突起５２は、上方から見た際に、左側のみがフランジ部１４への垂線に対して傾斜した略台形状に形成されている。また、各係合突起５０、５１、５２は、フランジ部１４との境界付近において、第１係合突起５０の横幅が最も広く、第３係合突起５２の横幅が最も狭くなるように形成されている。
【００３４】
一方、フランジ部１４の第２傾斜側面１２ｃに対応する部分には、第１係合突起５０の形状に応じた第１係合溝５４、第２係合突起５１の形状に応じた第２係合溝５５、第３係合突起５２の形状に応じた第３係合溝５６の３つの溝が形成されている。各係合溝５４、５５、５６は、ケース本体１２の長手方向の中心線を挟んで各係合突起５０、５１、５２と略対称な位置に形成されている。
【００３５】
この収容ケース４０も、複数の収容ケース４０を並べて配置する際に、第１係合突起５０を隣接する収容ケース４０の第１係合溝５４に係合させると、図５（ａ）に示すように、各ケース本体１２同士の長手方向の成す角θが９０度に調節される。また、第２係合突起５１を他の収容ケース４０の第２係合溝５５に係合させると、図５（ｂ）に示すように、角θが７５度に調節される。さらに、第３係合突起５２を他の収容ケース４０の第３係合溝５６に係合させると、図５（ｃ）に示すように、角θが６０度に調節される。
【００３６】
上記第１の実施形態では、各係合突起２０、２１、２２、及び各係合溝２４、２５、２６の横幅を変えているだけなので、例えば、第２係合突起２１と第１係合溝２４など、幅の広い係合溝に対して幅の狭い係合突起を組み合わせてしまった場合などに、その間違いに気が付きにくい。一方、本実施形態では、それぞれ形状の全く異なる略台形状の各係合突起５０、５１、５２、及び各係合溝５４、５５、５６としたので、異なる組み合わせで各係合突起と各係合溝とが係合することをより確実に防止することができる。
【００３７】
次に、図６及び図７を用いて本発明の第３の実施形態について説明する。図６に示すように、収容ケース６０のフランジ部１４の第１傾斜側面１２ｂに対応する部分には、第１傾斜面７０、第２傾斜面７１、第３傾斜面７２の３つの傾斜面が形成されている。第１傾斜面７０は、ケース本体１２の長手方向に対して４５度傾斜して形成されている。第２傾斜面７１は、ケース本体１２の長手方向に対して３７．５度傾斜して形成されている。第３傾斜面７２は、ケース本体１２の長手方向に対して３０度傾斜して形成されている。
【００３８】
収容ケース６０は、長手方向の中心線を挟んで左右対称に成形されており、フランジ部１４の第２傾斜側面１２ｃに対応する部分には、第１傾斜面７０と同様にケース本体１２の長手方向に対して４５度傾斜した第４傾斜面７４と、第２傾斜面７１と同様にケース本体１２の長手方向に対して３７．５度傾斜した第５傾斜面７５と、第３傾斜面７２と同様にケース本体１２の長手方向に対して３０度傾斜した第６傾斜面７６とが形成されている。
【００３９】
この収容ケース６０では、複数の収容ケース６０を並べて配置する際に、第１傾斜面７０を隣接する収容ケース６０の第４傾斜面７４に接触させることで、図７（ａ）に示すように、各ケース本体１２同士の長手方向の成す角θが９０度に調節される。また、第２傾斜面７１を隣接する収容ケース６０の第５傾斜面７５接触させることで、図７（ｂ）に示すように、角θが７５度に調節される。さらに、第３傾斜面７２を隣接する収容ケース６０の第６傾斜面７６に接触させることで、図７（ｃ）に示すように、角θが６０度に調節される。
【００４０】
このように、係合突起と係合溝とに替えて各傾斜面７０、７１、７２、７４、７５、７６を設けるようにしても、各ケース本体１２同士の成す角を調節することができるので、上記各実施形態と同様に、複数の収容ケース６０を誰でも容易に見栄え良く扇状に配置することができる。
【００４１】
なお、図６及び図７に示す例では、ケース本体１２の長手方向を挟んで両側に傾斜面を形成するようにしたが、これに限ることなく、一方にだけ傾斜面を形成し、隣接する収容ケースの長手方向と平行な面と傾斜面とを接触させることによって、各ケース本体１２同士の成す角を調節するようにしても良い。
【００４２】
また、図６及び図７に示す例では、ケース本体１２にフランジ部１４を形成し、フランジ部１４に各傾斜面７０、７１、７２、７４、７５、７６を形成するようにしたが、これに限ることなく、ケース本体１２自体に傾斜面を形成し、ケース本体１２同士を直接接触させるようにしてもよい。但し、フランジ部１４を形成することにより、前述のように、収容ケースを持つ際の指掛りとなり、収容ケースを持ち易くすることができるとともに、収容ケースの強度を向上させることができる。
【００４３】
さらに、上記各実施形態では、上面が一方向に長い略五角形状に形成されたケース本体１２を示したが、ケース本体の形状は、これに限ることなく、他の多角形状のものでもよいし、楕円形状のものでもよい。
【図面の簡単な説明】
【００４４】
【図１】収容ケースの構成を概略的に示す斜視図である。
【図２】各係合突起と各係合溝とを係合させた状態を示す説明図である。
【図３】複数の収容ケースを扇状に配置した状態を示す斜視図である。
【図４】各係合突起と各係合溝とをそれぞれ異なる台形状に成形した収容ケースの構成を概略的に示す斜視図である。
【図５】各係合突起と各係合溝とをそれぞれ異なる台形状に成形した収容ケースの各係合突起と各係合溝とを係合させた状態を示す説明図である。
【図６】傾斜面を形成した収容ケースの構成を概略的に示す斜視図である。
【図７】各傾斜面を接触させた状態を示す説明図である。
【符号の説明】
【００４５】
１０、４０、６０  収容ケース（遊技媒体収容ケース）
１２  ケース本体
１２ａ  開口
１４  フランジ部
２０、２１、２２、５０、５１、５２  係合突起
２４、２５、２６、５４、５５、５６  係合溝
３０ａ、３０ｂ、３１ａ、３１ｂ、３２ａ、３２ｂ  マーク
７０、７１、７２、７４、７５、７６  傾斜面
【図１】
2008301860.tif 000003
【図２】
2008301860.tif 000004
【図３】
2008301860.tif 000005
【図４】
2008301860.tif 000006
【図５】
2008301860.tif 000007
【図６】
2008301860.tif 000008
【図７】
2008301860.tif 000009